(57)【要約】【課題】記録装置内部の不揮発性メモリに保存されているフレーム画像を利用したデジタル写真プリントを実行可能な記録装置において、記録装置内部の不揮発性メモリに保存されているフレーム画像のバリエーションをユーザのニーズに応じて簡単な操作で更新できるようにする。【解決手段】フレームデータ更新画面には、不揮発性メモリ１０５に保存されている既存のフレーム画像ＦＬとメモリカードに保存されている新しいフレーム画像ＦＬとが同じ選択画面で同時選択可能に一覧表示され、所望のフレーム画像ＦＬを選択し、ＯＫボタン１９を押下することでチェックマークを付したり消したりできる。フレームデータ更新画面には、チェックマーク状態に応じて、その選択内容で不揮発性メモリ１０５の内容を更新した場合の不揮発性メモリ１０５の全容量に対する使用領域の割合（％）が表示される。【選択図】図１２
2008001025.tif 000002
【特許請求の範囲】
【請求項１】
操作部及び表示部を有するユーザインタフェース手段と、被記録材への記録を実行可能な記録実行手段と、デジタル画像ファイルの読み込み及び書き込みが可能な外部記憶装置と、複数のフレーム画像が予め保存される不揮発性メモリと、前記ユーザインタフェース手段におけるユーザ操作に基づく前記記録実行手段による被記録材への記録制御及び前記外部記憶装置の制御を実行する記録制御装置とを備えた記録装置であって、
前記記録制御装置は、ユーザが任意に選択したデジタル画像ファイルの画像にユーザが任意に選択したフレーム画像を合成して被記録材へ記録するフレーム合成機能と、
前記不揮発性メモリに保存されているフレーム画像と前記外部記憶装置の記憶媒体に保存されているフレーム画像とを前記表示部に同じ選択画面で同時選択可能に一覧表示し、ユーザが当該一覧表示を観ながら前記操作部を操作して選択した内容で、前記外部記憶装置の記憶媒体から前記不揮発性メモリへのフレーム画像の追加及び前記不揮発性メモリからのフレーム画像の削除を実行して前記不揮発性メモリの内容を更新するメモリ更新機能とを有している、ことを特徴とした記録装置。
【請求項２】
請求項１に記載の記録装置において、前記記録制御装置は、前記外部記憶装置の記憶媒体から前記不揮発性メモリに追加するフレーム画像及び前記不揮発性メモリから削除するフレーム画像の選択内容に応じて、当該選択内容で前記不揮発性メモリの内容を更新する前に、当該選択内容で前記不揮発性メモリの内容を更新した場合における前記不揮発性メモリの全容量に対する使用領域の割合を推測して表示するとともに、選択内容が変更される度に変更に応じて当該表示を更新するメモリ容量管理機能を有している、ことを特徴とした記録装置。
【請求項３】
請求項２に記載の記録装置において、前記メモリ容量管理機能は、当該選択内容で前記不揮発性メモリの内容を更新した場合の前記不揮発性メモリの全容量に対する使用領域の割合が１００％を超えているときは、前記不揮発性メモリに保存するフレーム画像をさらに追加選択することはできるが、当該選択内容で前記不揮発性メモリの内容を更新することは禁止する、ことを特徴とした記録装置。
【請求項４】
請求項１〜３のいずれか１項に記載の記録装置において、前記記録制御装置は、ユーザが任意に選択したデジタル画像ファイルの画像にユーザが任意に選択したフレーム画像を合成したプレビュー画像を前記表示部に表示する合成プレビュー画像表示機能と、
前記プレビュー画像を前記表示部に表示した状態における前記操作部の操作により、そのプレビュー画像表示のデジタル画像ファイルの画像表示はそのままでフレーム画像だけを他のフレーム画像に順次変更することが可能な合成フレーム画像切換表示機能とを有している、ことを特徴とした記録装置。
【請求項５】
請求項４に記載の記録装置において、前記合成フレーム画像切換表示機能は、プレビュー画像に合成表示されているフレーム画像を削除する操作を行うことなく当該プレビュー画像に合成表示されているフレーム画像を他のフレーム画像に順次変更することができる、ことを特徴とした記録装置。
【請求項６】
操作部及び表示部を有するユーザインタフェース手段と、被記録材への記録を実行可能な記録実行手段と、デジタル画像ファイルの読み込み及び書き込みが可能な外部記憶装置と、複数のフレーム画像が予め保存される不揮発性メモリとを備えた記録装置において、前記ユーザインタフェース手段におけるユーザ操作に基づく前記記録実行手段による被記録材への記録制御機能及び前記外部記憶装置の制御機能をコンピュータに実現させるための記録制御プログラムであって、
ユーザが任意に選択したデジタル画像ファイルの画像にユーザが任意に選択したフレーム画像を合成して被記録材へ記録するフレーム合成機能と、
前記不揮発性メモリに保存されているフレーム画像と前記外部記憶装置の記憶媒体に保存されているフレーム画像とを前記表示部に同じ選択画面で同時選択可能に一覧表示し、ユーザが当該一覧表示を観ながら前記操作部を操作して選択した内容で、前記外部記憶装置の記憶媒体から前記不揮発性メモリへのフレーム画像の追加及び前記不揮発性メモリからのフレーム画像の削除を実行して前記不揮発性メモリの内容を更新するメモリ更新機能とを実現する、ことを特徴とした記録制御プログラム。
【発明の詳細な説明】
【技術分野】
【０００１】
本発明は、操作部及び表示部を有するユーザインタフェース手段と、被記録材への記録を実行可能な記録実行手段と、デジタル画像ファイルの読み込み及び書き込みが可能な外部記憶装置とを備えた記録装置に関する。
【背景技術】
【０００２】
例えば、デジタルカメラ等で撮影したデジタル画像にフレーム画像を重ねて合成して被記録材へ記録することを実現するプリンタ（記録装置）の従来技術の一例としては、所望の写真画像レイアウトで配置される如く複数の画像のそれぞれについての描画制御コマンドを含むスクリプト（レイアウト制御プログラム）を生成するものが公知である（例えば、特許文献１を参照）。生成したスクリプトに基づいて記録データの生成及び記録装置の制御を実行することで、複数の画像を所望の写真画像レイアウトで配置したデジタル写真プリント（記録）を実現することができる。
【０００３】
ところで、近年は、手軽に持ち運びが可能で、場所を選ばず、気軽にどこででもデジタル写真プリントが可能な携帯性を兼ね備えた小型プリンタも登場し、広く普及しつつある。このようなプリンタは、一般的にプリンタにデジタルカメラを直接接続して被記録材への記録を実行したり、メモリカードからデジタル画像ファイルを直接読み込んで被記録材への記録を実行したりといったダイレクトプリント機能を備えており、パーソナルコンピュータと接続することなくスタンドアロンの状態でデジタル写真プリントを実行することができる。そして、通常このようなプリンタにおいては、上述したようなデジタルカメラで撮影したデジタル画像等にフレーム画像を重ねて合成したデジタル写真プリントを実行できるようにするために、複数のフレーム画像のデータがプリンタ内部の不揮発性メモリに予め保存されている。
【０００４】
【特許文献１】特開２００３−１１４７８０号公報
【発明の開示】
【発明が解決しようとする課題】
【０００５】
しかしながら、このプリンタ内部の不揮発性メモリに保存可能なフレーム画像の数は、その不揮発性メモリの容量から必然的に限界がある。そのため、メーカ出荷時に予め不揮発性メモリに保存されているフレーム画像だけでは、フレーム画像のバリエーションが限られてしまい、それによって、全てのユーザのニーズに十分に対応しきれないという課題があった。
【０００６】
本発明は、このような状況に鑑み成されたものであり、その課題は、記録装置内部の不揮発性メモリに保存されているフレーム画像を利用したデジタル写真プリントを実行可能な記録装置において、記録装置内部の不揮発性メモリに保存されているフレーム画像のバリエーションをユーザのニーズに応じて簡単な操作で更新できるようにすることにある。
【課題を解決するための手段】
【０００７】
上記課題を達成するため、本発明の第１の態様は、操作部及び表示部を有するユーザインタフェース手段と、被記録材への記録を実行可能な記録実行手段と、デジタル画像ファイルの読み込み及び書き込みが可能な外部記憶装置と、複数のフレーム画像が予め保存される不揮発性メモリと、前記ユーザインタフェース手段におけるユーザ操作に基づく前記記録実行手段による被記録材への記録制御及び前記外部記憶装置の制御を実行する記録制御装置とを備えた記録装置であって、前記記録制御装置は、ユーザが任意に選択したデジタル画像ファイルの画像にユーザが任意に選択したフレーム画像を合成して被記録材へ記録するフレーム合成機能と、前記不揮発性メモリに保存されているフレーム画像と前記外部記憶装置の記憶媒体に保存されているフレーム画像とを前記表示部に同じ選択画面で同時選択可能に一覧表示し、ユーザが当該一覧表示を観ながら前記操作部を操作して選択した内容で、前記外部記憶装置の記憶媒体から前記不揮発性メモリへのフレーム画像の追加及び前記不揮発性メモリからのフレーム画像の削除を実行して前記不揮発性メモリの内容を更新するメモリ更新機能とを有している、ことを特徴とした記録装置である。
【０００８】
このように、複数のフレーム画像が予め保存される記録装置内部の不揮発性メモリに対して、フレーム画像の削除及びフレーム画像の追加をすることができるので、ユーザは、不揮発性メモリ内の不要なフレーム画像を削除したり、不揮発性メモリに新しいデザインの新しいフレーム画像を随時追加したりすることが可能になる。
【０００９】
また、不揮発性メモリに保存されているフレーム画像と外部記憶装置の記憶媒体に保存されているフレーム画像とを表示部に同じ選択画面で同時選択可能に一覧表示することができる。それによって、ユーザは、外部記憶装置の記憶媒体から不揮発性メモリへ追加するフレーム画像と不揮発性メモリから削除するフレーム画像とを同じ選択画面で同時に選択して不揮発性メモリの内容を一回的に更新することができる。すなわち、記録装置内部の不揮発性メモリに対して、不揮発性メモリ内の不要なフレーム画像の削除と外部からの新しいフレーム画像の追加とを同じ選択画面上で同時に選択して同時に実行することができる。
【００１０】
これにより、本発明の第１の態様に記載の記録装置によれば、記録装置内部の不揮発性メモリに保存されているフレーム画像を利用したデジタル写真プリントを実行可能な記録装置において、不揮発性メモリに対して、不揮発性メモリ内の不要なフレーム画像の削除と外部からの新しいフレーム画像の追加とを同じ選択画面上で同時に選択して同時に実行することができるので、不揮発性メモリに保存されているフレーム画像のバリエーションをユーザのニーズに応じて簡単な操作で更新できるという作用効果が得られる。
【００１１】
本発明の第２の態様は、前述した第１の態様に記載の記録装置において、前記記録制御装置は、前記外部記憶装置の記憶媒体から前記不揮発性メモリに追加するフレーム画像及び前記不揮発性メモリから削除するフレーム画像の選択内容に応じて、当該選択内容で前記不揮発性メモリの内容を更新する前に、当該選択内容で前記不揮発性メモリの内容を更新した場合における前記不揮発性メモリの全容量に対する使用領域の割合を推測して表示するとともに、選択内容が変更される度に変更に応じて当該表示を更新するメモリ容量管理機能を有している、ことを特徴とした記録装置である。
【００１２】
このように、ユーザが選択した内容で不揮発性メモリの内容を更新する前に、その選択内容で不揮発性メモリの内容を更新した場合の不揮発性メモリの全容量に対する使用領域の割合を推測して表示する。また、選択内容が変更される度に変更に応じて当該表示を更新する。それによって、ユーザは、その不揮発性メモリの全容量に対する使用領域の割合の表示を観ながら、不揮発性メモリから削除するフレーム画像及び不揮発性メモリに追加するフレーム画像を取捨選択することができる。
【００１３】
すなわち、ユーザは、外部記憶装置の記憶媒体から不揮発性メモリへ追加するフレーム画像と不揮発性メモリから削除するフレーム画像とを同じ選択画面で同時に選択する際に、不揮発性メモリの容量を超えてしまうか否かを随時確認しながら、不揮発性メモリから削除するフレーム画像及び不揮発性メモリに追加するフレーム画像を取捨選択することができる。それによって、不揮発性メモリの内容を更新したときに容量不足で更新が完了できず、不揮発性メモリから削除するフレーム画像及び不揮発性メモリに追加するフレーム画像を選択画面において再度選択し直さなければならない、といった二度手間を未然に防止できるので、利便性をより向上させることができる。
【００１４】
本発明の第３の態様は、前述した第２の態様に記載の記録装置において、前記メモリ容量管理機能は、当該選択内容で前記不揮発性メモリの内容を更新した場合の前記不揮発性メモリの全容量に対する使用領域の割合が１００％を超えているときは、前記不揮発性メモリに保存するフレーム画像をさらに追加選択することはできるが、当該選択内容で前記不揮発性メモリの内容を更新することは禁止する、ことを特徴とした記録装置である。
【００１５】
このように、その時点の選択内容が不揮発性メモリの容量を超えてしまうものであっても、とりあえずユーザは、フレーム画像の取捨選択操作を行うことができるので、まずは、ユーザが不揮発性メモリに保存することを望むフレーム画像を全てピックアップすることができる。そして、ユーザが不揮発性メモリに保存することを望むフレーム画像を全てピックアップした時点で、その選択内容では不揮発性メモリの容量を超えてしまうときには、ユーザは、そのピックアップした範囲内でさらに取捨選択を検討することができる。
【００１６】
それによって、ユーザは、まずは不揮発性メモリに保存することを望むフレーム画像を全てピックアップして確保した後、不揮発性メモリの容量を超えてしまう場合には、さらにその範囲内で、例えば最も優先順位の低いフレーム画像を順番に非選択としていったり、不揮発性メモリの容量との兼ね合いから特にデータ容量の大きいフレーム画像を非選択としたり、といった詳細かつ柔軟な取捨選択が可能になる。すなわち、本発明の第３の態様に記載の発明によれば、ユーザは、不揮発性メモリの内容を更新する際に、ピックアップしたフレーム画像を詳細かつ柔軟な取捨選択操作で不揮発性メモリの容量の範囲内に絞り込んでいくことができるので、より利便性を向上させることができるという作用効果が得られる。
【００１７】
本発明の第４の態様は、前述した第１〜第３の態様のいずれかに記載の記録装置において、前記記録制御装置は、ユーザが任意に選択したデジタル画像ファイルの画像にユーザが任意に選択したフレーム画像を合成したプレビュー画像を前記表示部に表示する合成プレビュー画像表示機能と、前記プレビュー画像を前記表示部に表示した状態における前記操作部の操作により、そのプレビュー画像表示のデジタル画像ファイルの画像表示はそのままでフレーム画像だけを他のフレーム画像に順次変更することが可能な合成フレーム画像切換表示機能とを有している、ことを特徴とした記録装置である。
【００１８】
このように、プレビュー画像を表示部に表示した状態で、そのプレビュー画像表示のデジタル画像ファイルの画像表示はそのままでフレーム画像だけを他のフレーム画像に順次変更することできる。それによって、プレビュー画像表示を観てフレーム画像を変更するときに、従来のように、フレーム画像の選択画面におけるフレーム画像の選択操作と選択したフレーム画像を合成したプレビューを表示する操作とを何度も交互に繰り返し行う必要がない。したがって、従来のように一連の煩雑な操作を繰り返すことなく、所望のデジタル写真画像に最も適したフレーム画像を選択して合成したデジタル写真プリントを実行することができる。また、プレビュー画像表示のデジタル画像ファイルの画像表示はそのままでフレーム画像だけを他のフレーム画像に順次変更することできるので、デジタル写真画像に対するフレーム画像の合成イメージを直感的にテンポ良く対比しながら検討することができる。
【００１９】
これにより、本発明の第４の態様に記載の記録装置によれば、前述した第１〜第３の態様のいずれか記載の発明における作用効果に加えて、プリンタ本体に設けられた液晶ディスプレイ等の表示部を観ながら操作ボタン類を操作してフレーム画像を合成したデジタル写真プリントを実行する際に、従来のように一連の煩雑な操作を繰り返すことなく、所望のデジタル写真画像に最も適したフレーム画像を直感的にテンポ良く対比しながら選択することができるので、その利便性を向上させることができるという作用効果が得られる。
【００２０】
本発明の第５の態様は、前述した第４の態様に記載の記録装置において、前記合成フレーム画像切換表示機能は、プレビュー画像に合成表示されているフレーム画像を削除する操作を行うことなく当該プレビュー画像に合成表示されているフレーム画像を他のフレーム画像に順次変更することができる、ことを特徴とした記録装置である。
【００２１】
このように、プレビュー画像を表示部に表示した状態で、そのプレビュー画像表示のデジタル画像ファイルの画像表示はそのままでフレーム画像だけを他のフレーム画像に順次変更することできることに加えて、プレビュー画像に合成表示されているフレーム画像を削除する操作を行うことなく当該プレビュー画像に合成表示されているフレーム画像を他のフレーム画像に順次変更することができる。すなわち、プレビュー画像表示を観てフレーム画像を変更するときに、従来のように、フレーム画像の選択画面におけるフレーム画像の選択、選択したフレーム画像を合成したプレビューの表示及び合成したフレーム画像のデジタル写真画像からの削除といった一連の操作を何度も繰り返し行う必要がない。したがって、従来のように一連の煩雑な操作を繰り返すことなく、所望のデジタル写真画像に最も適したフレーム画像を選択して合成したデジタル写真プリントを実行することができるという作用効果が得られる。
【００２２】
本発明の第６の態様は、操作部及び表示部を有するユーザインタフェース手段と、被記録材への記録を実行可能な記録実行手段と、デジタル画像ファイルの読み込み及び書き込みが可能な外部記憶装置と、複数のフレーム画像が予め保存される不揮発性メモリとを備えた記録装置において、前記ユーザインタフェース手段におけるユーザ操作に基づく前記記録実行手段による被記録材への記録制御機能及び前記外部記憶装置の制御機能をコンピュータに実現させるための記録制御プログラムであって、ユーザが任意に選択したデジタル画像ファイルの画像にユーザが任意に選択したフレーム画像を合成して被記録材へ記録するフレーム合成機能と、前記不揮発性メモリに保存されているフレーム画像と前記外部記憶装置の記憶媒体に保存されているフレーム画像とを前記表示部に同じ選択画面で同時選択可能に一覧表示し、ユーザが当該一覧表示を観ながら前記操作部を操作して選択した内容で、前記外部記憶装置の記憶媒体から前記不揮発性メモリへのフレーム画像の追加及び前記不揮発性メモリからのフレーム画像の削除を実行して前記不揮発性メモリの内容を更新するメモリ更新機能とを実現する、ことを特徴とした記録制御プログラムである。  
本発明の第６の態様に記載の記録制御プログラムによれば、この記録制御プログラムを実行可能な任意の記録装置に、前述した第１の態様に記載の発明と同様の作用効果をもたらすことができる。
【発明を実施するための最良の形態】
【００２３】
以下、本発明の実施の形態を図面に基づいて説明する。  
まず、本発明に係る「記録装置」としてのインクジェットプリンタ５０の構成について説明する。
【００２４】
図１は、本発明に係る「記録装置」としてのインクジェットプリンタ５０の外観を示す斜視図である。
【００２５】
インクジェットプリンタ５０は、図示の如く角箱状の本体ケーシング１を備えている。本体ケーシング１は、持ち運び時の状態では本体ケーシング１の上面を閉塞し、使用時の状態（図１）では給送用トレイ４のペーパーサポートとしても機能するカバー部材６と、本体ケーシング１の上部に配設され、持ち運び時の状態において上記カバー部材６の下方に位置する上面パネル７と、本体ケーシング１の前面の一部を開口し、当該前面開口を閉塞するように開閉自在に設けられる前面カバーを兼ねた排出用スタッカ５と、本体ケーシング１の左右の側面に対して回動可能な状態で接続される門型をした手提げハンドル８とを備えている。
【００２６】
上面パネル７には、「表示部」としての液晶ディスプレイ２１と「操作部」としての各操作ボタン類を有する「ユーザインタフェース手段」としての操作パネル１０が設けられている。液晶ディスプレイ２１は、後方に倒した水平姿勢と上方に引き起こした起立姿勢又は傾斜姿勢とを切り換えることができる。上面パネル７の後部の中央部は、図示の如く矩形状に切り欠かれており、その部分が自動給送ユニット２に対して「被記録材」としての記録紙Ｐを供給するための給送用開口３になっている。また、排出用スタッカ５は、下部の左右のコーナー部に回動支点を備えており、この回動支点を中心にして約９０°の範囲に亘って上下に回動できるようになっている。本体ケーシング１の前面開口の上部には、この排出用スタッカ５を開いた状態で、デジタル画像ファイル等を保存したメモリカード等の「記憶媒体」を挿入可能に配設された「外部記憶装置」としてのメモリカードスロット９が設けられている。
【００２７】
そして、このような構成を有するインクジェットプリンタ５０に対して、ユーザが記録紙Ｐをセットした状態から操作パネル１０を操作して記録紙Ｐへの記録実行操作を行うと、後述する「記録制御装置」による記録制御が実行される。まず、給送用開口３から自動給送ユニット２によりインクジェットプリンタ５０内の用紙搬送経路（図示せず）に向けて記録紙Ｐが給送される。この用紙搬送経路に給送された記録紙Ｐは、記録ポジションに向けて案内され、図示しないプラテンによって下面が支持された状態で図示しない搬送用ローラからの駆動力を受けて搬送される。つづいて、所定の往復動方向へ往復動可能に配設されている記録ヘッド（図示せず）を往復動させながら記録ヘッドから記録紙Ｐへインクを噴射する動作と、その記録ヘッドの往復動方向と直交する搬送方向へ所定の搬送量で記録紙Ｐを搬送する動作とを交互に繰り返すことで記録紙Ｐへの記録が実行される（記録実行手段）。そして、記録実行後の記録紙Ｐは、図示しない排出用ローラからの駆動力を受けて前記搬送方向のさらに下流側に向けて搬送され、前記の排出用スタッカ５へ排出される。
【００２８】
尚、インクジェットプリンタ５０は、例えば４×６インチ以下の記録紙Ｐを対象にした極めてコンパクトで持ち運びが容易な比較的シンプルな構造を有している。また、このインクジェットプリンタ５０は、パーソナルコンピュータに接続しなくても直接記録紙Ｐに記録を実行することができる、いわゆるダイレクトプリント機能を有している。また、インクジェットプリンタ５０は、上記本体ケーシング１の下方にＣＤドライブ等を内蔵した拡張ユニット（図示せず）を取り付けることで機能拡張可能な構成を有しており、メモリカード等から取り込んだデジタル画像ファイルをＣＤ―Ｒ等に保存したり、ＣＤ―Ｒ等に保存されたデジタル画像ファイルを読み込んで記録を実行したりすることができるようになっている。
【００２９】
つづいて、液晶ディスプレイ２１を含む「ユーザインタフェース手段」としての操作パネル１０の構成及び各部の機能並びに「記録制御装置」としての記録制御部１００の構成等について説明する。
【００３０】
図２は、操作パネル１０の正面図であり、メインメニュー画面が液晶ディスプレイ２１に表示されている状態を図示したものである。  
操作パネル１０には、「表示部」としての液晶ディスプレイ２１の他、電源スイッチ１１、表示切替ボタン１２、メニューボタン１３、キャンセルボタン１４、プリント（記録実行）ボタン１５、保存ボタン１６及び２つのファンクションキー１７、１８が配設されている。また、操作パネル１０の液晶ディスプレイ２１の下側には、ＯＫボタン１９並びにそのＯＫボタン１９の周囲に上ボタンＵ、下ボタンＤ、右ボタンＲ及び左ボタンＬが図示の如く配設されている。
【００３１】
電源スイッチ１１は、インクジェットプリンタ５０の電源ＯＮ／ＯＦＦ操作を行うための操作スイッチである。表示切替ボタン１２は、液晶ディスプレイ２１に表示されている画像等の表示サイズ（６分割表示、１５分割表示、全画面表示等）を切り替えるための操作ボタンであり、この表示切替ボタン１２を押下する度に表示サイズをサイクリックに切り替えることができる。メニューボタン１３は、図示のメインメニュー画面を表示させるための操作ボタンである。キャンセルボタン１４は、操作を途中でキャンセルしたり、記録紙Ｐへの記録を途中で中断したりするための操作ボタンである。プリント（記録実行）ボタン１５は、記録紙Ｐへの記録を開始するための操作ボタンである。
【００３２】
保存ボタン１６は、前記のＣＤドライブ等の外部記憶装置３０へデジタル画像ファイルを保存するための操作ボタンである。２つのファンクションキー１７、１８は、画面ごとに異なる機能がそれぞれ割り当てられる。上ボタンＵ、下ボタンＤ、右ボタンＲ及び左ボタンＬは、液晶ディスプレイ２１の表示画面において、メニュー画面から所望の項目を選択したりデジタル写真画像の一覧から所望のデジタル写真画像を選択したりといったカーソル移動等による選択操作を行うための操作ボタンであり、ＯＫボタン１９は、上ボタンＵ、下ボタンＤ、右ボタンＲ又は左ボタンＬを操作して選択したメニュー項目やデジタル写真画像等の選択内容を確定するための操作ボタンである。
【００３３】
記録制御部１００は、ＲＯＭ（Read Only Memory）１０１、ＲＡＭ（Random
Access Memory）１０２、ＩＦ（インタフェース部）１０３、ＣＰＵ（Central Processing Unit）１０４及び不揮発性メモリ１０５を有する公知のマイコン制御回路で構成されている。この記録制御部１００は、前述した記録紙Ｐに対する記録実行制御の他、メモリカードスロット９や前記の拡張ユニット（図示せず）に内蔵されたＣＤドライブ等の外部記憶装置３０とのデータ入出力制御並びにＩＦ１０３を介して上記の各操作ボタン類からの操作入力制御及び液晶ディスプレイ２１への表示出力制御を実行する。
【００３４】
液晶ディスプレイ２１に表示されているメインメニュー画面は、上から順に「写真選択」、「用紙／レイアウト」、「編集」、「フレーム」、「ＣＤに保存」、「メンテナンス」及び「セットアップ」の項目で構成されている。このメインメニュー画面において、上ボタンＵ又は下ボタンＤを操作し、「写真選択」を選択してＯＫボタン１９を押下すると、デジタル写真画像の一覧が表示され、その画像一覧表示を観ながら上ボタンＵ、下ボタンＤ、右ボタンＲ又は左ボタンＬを操作してカーソルを上下左右へ移動させることで、記録紙Ｐへ記録を実行する対象やＣＤへ保存する対象となるデジタル写真画像を選択することができる。「用紙／レイアウト」を選択してＯＫボタン１９を押下すると、記録紙Ｐへ記録を実行する際のデジタル画像のレイアウトや記録紙Ｐのサイズ等を設定することができる。「編集」を選択してＯＫボタン１９を押下すると、記録紙Ｐへ記録を実行する際のデジタル画像のトリミングや画質調整等の画像編集を行うことができる。
【００３５】
「フレーム」を選択してＯＫボタン１９を押下すると、記録紙Ｐへ記録を実行する際のデジタル写真画像にフレームを合成等することができる。「ＣＤに保存」を選択してＯＫボタン１９を押下すると、「写真選択」で選択したデジタル写真画像のファイルを前記のＣＤドライブを介してＣＤ等の記憶媒体へ保存することができる。「メンテナンス」を選択してＯＫボタン１９を押下すると、前記の記録ヘッド（図示せず）のノズルチェックやクリーニング、ギャップ調整、インクカートリッジ（図示せず）のインク残量表示等のメンテナンス操作を行うことができる。「セットアップ」を選択してＯＫボタン１９を押下すると、日付設定、縁なしプリント時のはみ出し量の調整、無線通信機能の設定等のセットアップ操作を行うことができる。また、メインメニュー画面においては、ファンクションキー１７には、前の画面に戻るための「戻る」機能が割り当てられており、ファンクションキー１８には、次の画面に進むための「続行」機能が割り当てられている。
【００３６】
つづいて、本発明に係る記録制御部１００の「フレーム合成機能」について説明する。この「フレーム合成機能」は、マイコン制御回路を有する記録制御部１００において実行される記録制御プログラムにより実現される機能である。
【００３７】
図３は、液晶ディスプレイ２１にフレームメニュー画面が表示された状態を図示したものである。  
「フレーム」を選択してＯＫボタン１９を押下すると、図示のようなフレームメニュー画面が液晶ディスプレイ２１に表示される。フレームメニュー画面は、上から順に「フレーム合成」、「フレーム削除」及び「フレーム更新」の項目で構成されている。また、フレームメニュー画面においては、ファンクションキー１７には、前の画面に戻るための「戻る」機能が割り当てられており、ファンクションキー１８には、次の画面に進むための「続行」機能が割り当てられている。このフレームメニュー画面において、上ボタンＵ又は下ボタンＤを操作し、「フレーム合成」を選択してＯＫボタン１９を押下すると、次に説明するフレーム選択画面が表示される。「フレーム削除」を選択してＯＫボタン１９を押下すると、デジタル写真画像に合成したフレーム画像を削除することができる。この「フレーム削除」の項目は、デジタル写真画像にフレーム画像が合成されていない状態では、「フレーム削除」の項目が図示の如くグレーアウト表示となる。尚、「フレーム更新」の機能及びその詳細は後述する。
【００３８】
図４は、液晶ディスプレイ２１にフレーム選択画面が表示された状態を図示したものである。  
フレーム選択画面には、不揮発性メモリ１０５に予め保存されている複数のフレーム画像ＦＬが図示の如く一覧表示される。フレーム画像ＦＬの一覧表示は、前記の表示切替ボタン１２を押下することで、液晶ディスプレイ２１に表示されているフレーム画像ＦＬの表示サイズ（６分割表示、１５分割表示、全画面表示等）をサイクリックに切り替えることができる。このフレーム選択画面においては、上ボタンＵ、下ボタンＤ、右ボタンＲ又は左ボタンＬを操作してカーソルを上下左右へ移動させることで、デジタル写真画像に合成する所望のフレーム画像ＦＬを選択することができる。そして、所望のフレーム画像ＦＬへカーソルを移動させた状態でＯＫボタン１９を押下すると、次に説明する図５に図示した如くデジタル写真画像に選択したフレーム画像ＦＬが合成されたプレビュー画像が液晶ディスプレイ２１に表示される。尚、ファンクションキー１７には、前の画面に戻るための「戻る」機能が割り当てられており、ファンクションキー１８には、次の画面に進むための「続行」機能が割り当てられている。
【００３９】
図５及び図６は、液晶ディスプレイ２１に所望のフレーム画像ＦＬを合成したデジタル写真画像のプレビュー画像が表示された状態を図示したものである。  
このように、ユーザが任意に選択したデジタル画像ファイルの画像にユーザが任意に選択したフレーム画像ＦＬを合成したプレビュー画像が液晶ディスプレイ２１に表示される（合成プレビュー画像表示機能）。このプレビュー画像が表示されている状態においては、予め選択したデジタル写真画像にフレーム選択画面で選択した所望のフレーム画像ＦＬを合成した状態の画像イメージを観て確認することができる。また、このプレビュー画像が表示されている状態においては、上ボタンＵ、下ボタンＤ、右ボタンＲ又は左ボタンＬのいずれかを押下することにより、図６（ａ）〜（ｃ）に図示した如く、そのプレビュー画像表示のデジタル画像ファイルの画像表示はそのままでフレーム画像ＦＬだけを他のフレーム画像ＦＬに順次変更していくことができる（合成フレーム画像切換表示機能）。
【００４０】
つまり、プレビュー画像表示がされた状態のまま合成するフレーム画像ＦＬだけを順次変更していくことができ、それによって、各フレーム画像ＦＬを合成した状態の写真画像イメージを連続的に表示させて確認していくことができる。そして、所望のフレーム画像ＦＬが合成されたプレビュー画像が表示されている状態でＯＫボタン１９を押下すると、デジタル写真画像に合成するフレーム画像ＦＬを決定することができる。尚、ファンクションキー１７には、前の画面に戻るための「戻る」機能が割り当てられており、ファンクションキー１８には、次の画面に進むための「続行」機能が割り当てられている。
【００４１】
図７は、液晶ディスプレイ２１に写真選択画面が表示された状態を図示したものである。図８は、液晶ディスプレイ２１に印刷（記録）枚数設定画面が表示された状態を図示したものである。図９は、液晶ディスプレイ２１に印刷（記録）確認画面が表示された状態を図示したものである。
【００４２】
プレビュー画像を液晶ディスプレイ２１に表示した状態（図５）で、ＯＫボタン１９を押下してデジタル写真画像に合成するフレーム画像ＦＬを決定すると、液晶ディスプレイ２１の表示が写真選択画面（図７）に遷移する。尚、ファンクションキー１７には、写真選択画面で選択可能な全てのデジタル写真画像を選択可能な「全て選択」機能が割り当てられており、ファンクションキー１８には、いわゆる「ヘルプ」機能が割り当てられている。この写真選択画面において、所望のフレーム画像ＦＬが合成されたデジタル写真画像を選択してＯＫボタン１９を押下すると、液晶ディスプレイ２１には、印刷（記録）枚数設定画面（図８）が表示される。
【００４３】
この印刷（記録）枚数設定画面においては、表示されているデジタル写真画像の印刷（記録）枚数を設定することができる。具体的には、ＯＫボタン１９を押下すると、印刷枚数を１ずつ増加することができ、「枚数−」機能が割り当てられたファンクションキー１７を押下すると、印刷枚数を１ずつ減少させることができる。そして、所望の印刷枚数を設定した後、「印刷確認」機能が割り当てられているファンクションキー１８を押下すると、印刷（記録）確認画面（図９）が表示される。そして、印刷確認画面が表示されている状態でプリント（記録実行）ボタン１５を押下すると、デジタル写真画像にユーザが任意に選択したフレーム画像を合成した画像を記録紙Ｐへ記録することができる（フレーム合成機能）。尚、ファンクションキー１７には、前の画面に戻るための「戻る」機能が割り当てられており、ファンクションキー１８には、記録紙Ｐへ記録を実行する際のデジタル画像のレイアウトや記録紙Ｐのサイズを設定する画面へ移動するための「レイアウト」設定機能が割り当てられている。
【００４４】
このように、プレビュー画像を液晶ディスプレイ２１に表示した状態（図５）で、そのプレビュー画像表示のデジタル画像ファイルの画像表示はそのままでフレーム画像ＦＬだけを他のフレーム画像に順次変更することできるので、プレビュー画像表示を観てフレーム画像ＦＬを変更するときに、従来のようにフレーム画像ＦＬの選択画面（図４）におけるフレーム画像の選択、選択したフレーム画像を合成したプレビューの表示（図５）及び合成したフレーム画像のデジタル写真画像からの削除といった一連の煩雑な操作を反復して繰り返すことなく、所望のデジタル写真画像に最も適したフレーム画像ＦＬを選択して合成したデジタル写真プリントを実行することができる。また、プレビュー画像表示のデジタル画像ファイルの画像表示はそのままでフレーム画像だけを他のフレーム画像に順次変更することできるので（図６）、デジタル写真画像に対するフレーム画像の合成イメージを直接的にテンポ良く対比しながら検討することができる。
【００４５】
このようにして、インクジェットプリンタ５０本体に設けられた液晶ディスプレイ２１を観ながら操作ボタン類を操作してフレーム画像ＦＬを合成したデジタル写真プリントを実行する際の利便性を向上させることができる。
【００４６】
つづいて、本発明に係る記録制御部１００の「フレーム更新機能」について説明する。この「フレーム更新機能」は、マイコン制御回路を有する記録制御部１００において実行される記録制御プログラムにより実現される機能である。前述したように、記録制御部１００の不揮発性メモリ１０５（図２）には、「フレーム合成機能」において利用される複数のフレーム画像ＦＬのデータが予め保存されている。本発明に係る「フレーム更新機能」は、この不揮発性メモリ１０５に予め保存されているフレーム画像ＦＬをユーザのニーズに応じて削除又は追加する機能をユーザに提供するものである。以下、より具体的に説明する。
【００４７】
図１０は、液晶ディスプレイ２１にフレームメニュー画面が表示された状態を図示したものである。図１１は、液晶ディスプレイ２１にフレーム保存場所選択画面が表示された状態を図示したものである。  
フレームメニュー画面（図１０）において、上ボタンＵ又は下ボタンＤを操作し、図示の如く「フレーム更新」を選択してＯＫボタン１９を押下すると、まず、液晶ディスプレイ２１にフレーム保存場所選択画面（図１１）が表示される。このフレーム保存場所選択画面においては、不揮発性メモリ１０５へ追加するフレーム画像ＦＬが保存された記憶媒体を択一的に選択することができる。例えば、フレーム保存場所選択画面（図１１）において、「メモリカード」の項目を選択すれば、メモリカードスロット９に挿入されたメモリカードを選択することができる。また、「内蔵ＣＤ」の項目を選択すれば、前記の拡張ユニットに内蔵されたＣＤドライブ（図示せず）に挿入されたＣＤ等を選択することができる。さらに、「外部記憶装置」の項目を選択すれば、図示しないＵＳＢ等の外部ＩＦでインクジェットプリンタ５０に接続された外付けハードディスクドライブ等の外部記憶装置を選択することもできる。  
尚、「内蔵メモリのみ」の項目を選択した場合には、不揮発性メモリ１０５に保存されている複数のフレーム画像ＦＬの中から不要なものを削除することのみが可能になる。
【００４８】
図１２は、液晶ディスプレイ２１にフレームデータ更新画面が表示された状態を図示したものである。図１３〜図１６は、液晶ディスプレイ２１に表示されたフレームデータ更新画面の要部を図示したものである。  
図１７は、液晶ディスプレイ２１にメッセージ表示画面が表示された状態を図示したものであり、図１８は、液晶ディスプレイ２１に更新中画面が表示された状態を図示したものである。  
例えば、フレーム保存場所選択画面（図１１）において「メモリカード」の項目を選択した場合には、フレームデータ更新画面には、不揮発性メモリ１０５に保存されている既存のフレーム画像ＦＬとメモリカードスロット９に挿入されたメモリカードに保存されている新しいフレーム画像ＦＬとが同じ選択画面で同時選択可能に一覧表示される（図１２）。より具体的には、例えば、不揮発性メモリ１０５に保存されている７個の既存のフレーム画像ＦＬはチェックマークを付された状態で、メモリカードスロット９に挿入されたメモリカードに保存されている６個の新しいフレーム画像ＦＬはチェックマークを付されていない状態で、つまり計１３個のフレーム画像ＦＬが図示の如く同じ選択画面で同時選択可能に一覧表示される（図１３）。
【００４９】
ユーザは、このフレームデータ更新画面に一覧表示された不揮発性メモリ１０５に保存されている既存のフレーム画像ＦＬ及びメモリカードスロット９のメモリカードに保存されている新しいフレーム画像ＦＬを同じ選択画面で観ながら対比して検討することができる。そして、ユーザは、上ボタンＵ、下ボタンＤ、右ボタンＲ又は左ボタンＬを操作してカーソルを上下左右へ移動させながら所望のフレーム画像ＦＬを選択し、選択した状態でＯＫボタン１９を押下することでチェックマークを付したり消したりすることができる。不揮発性メモリ１０５に保存されている既存のフレーム画像ＦＬについては、チェックマークを消せば削除対象となり、チェックマークを付したままにすれば削除されない。メモリカードスロット９に挿入されたメモリカードに保存されている新しいフレーム画像ＦＬについては、チェックマークを付したものだけが不揮発性メモリ１０５へ追加される対象となる。
【００５０】
すなわち、ユーザは、このフレームデータ更新画面において不揮発性メモリ１０５に保存して利用したいフレーム画像ＦＬにのみチェックマークが付された状態とすることにより、不揮発性メモリ１０５から削除するフレーム画像ＦＬとメモリカードスロット９に挿入されたメモリカードから不揮発性メモリ１０５へ追加するフレーム画像ＦＬとを同時に選択することができる。そして、ファンクションキー１８に割り当てられた「更新開始」ボタンを押下することにより、メモリカードスロット９に挿入されたメモリカードから不揮発性メモリ１０５へのフレーム画像ＦＬの追加及び不揮発性メモリ１０５からのフレーム画像ＦＬの削除が同時に実行される。つまり、チェックマークが付されたフレーム画像ＦＬだけが保存された状態で不揮発性メモリ１０５の内容が更新される（メモリ更新機能）。
【００５１】
また、フレームデータ更新画面には、フレーム画像ＦＬの一覧表示のスクロールバーが必要に応じて表示される。さらに、フレームデータ更新画面には、フレーム画像ＦＬの一覧表示のチェックマーク状態による選択内容に応じて、その選択内容で不揮発性メモリ１０５の内容を更新した場合の不揮発性メモリ１０５の全容量に対する使用領域の割合（％）を推測して図示の如く「メモリ使用量」として表示する。つまり、メモリカードスロット９に挿入されたメモリカードから不揮発性メモリ１０５へ追加するフレーム画像ＦＬ及び不揮発性メモリ１０５から削除するフレーム画像ＦＬの選択内容に応じて、その選択内容で不揮発性メモリ１０５の内容を更新する前に、当該選択内容で不揮発性メモリ１０５の内容を更新した場合の不揮発性メモリ１０５の全容量に対する使用領域の割合（％）を推測して表示する（メモリ容量管理機能）。
【００５２】
この不揮発性メモリ１０５の全容量に対する使用領域の割合（％）の表示は、その選択内容が変更される度にその変更内容に応じて更新される。例えば、フレームメニュー画面において「フレーム更新」を選択してフレームデータ更新画面を液晶ディスプレイ２１に表示させた直後は、チェックマークが付された状態の７個のフレーム画像ＦＬ（不揮発性メモリ１０５）とチェックマークが付されていない状態の６個のフレーム画像ＦＬ（メモリカードスロット９のメモリカード）とが一覧表示される（図１３）。このとき「メモリ使用量」として表示されるのは、不揮発性メモリ１０５の全容量に対するチェックマークが付された７個のフレーム画像ＦＬの合計容量であり、すなわち、実際の不揮発性メモリ１０５の全容量に対する使用領域容量の割合（５４％）である。
【００５３】
ここで、例えば、ユーザがチェックマークの付されていないフレーム画像ＦＬ、つまりメモリカードスロット９のメモリカードに保存されているフレーム画像ＦＬのうち所望のフレーム画像ＦＬを不揮発性メモリ１０５へ追加するべく２つ選択したとする（図１４）。すると、そのチェックマークを付けたフレーム画像ＦＬの容量に応じて、「メモリ使用量」の表示が更新される（８３％）。ただし、この時点において不揮発性メモリ１０５の保存内容は、まだ変更されていない。
【００５４】
さらに、ユーザがチェックマークの付されていないフレーム画像ＦＬのうち所望のフレーム画像ＦＬを不揮発性メモリ１０５へ追加するべく、さらに３つ選択したとする（図１５）。すると、そのチェックマークを付けたフレーム画像ＦＬの容量に応じて、「メモリ使用量」の表示が更新される（１１３％）。ただし、この時点において不揮発性メモリ１０５の保存内容は、まだ変更されていない。
【００５５】
このとき、この選択内容で不揮発性メモリ１０５の内容を更新すると、不揮発性メモリ１０５の全容量に対する使用領域の割合が１００％を超えてしまうことになるが、このような場合でも不揮発性メモリ１０５に保存するフレーム画像ＦＬをさらに追加選択することができる。ただし、「メモリ使用量」の表示が１００％を超える選択内容で不揮発性メモリ１０５の内容を更新することは当然できないから、そのような更新操作は禁止される。つまり、「メモリ使用量」の表示が１００％を超える選択内容である場合には、不揮発性メモリ１０５の「更新開始」機能が割り当てられているファンクションキー１８を押下しても、不揮発性メモリ１０５の空き容量が不足している旨のメッセージ表示画面が表示され（図１７）、不揮発性メモリ１０５の内容を更新することはできない。
【００５６】
そこで、「メモリ使用量」の表示が１００％を超えている状態から、例えば、不揮発性メモリ１０５に保存されている既存のフレーム画像ＦＬ（最初からチェックマークが付されて表示されているフレーム画像ＦＬ）のうち、不要と判断したフレーム画像ＦＬを２つ選択してチェックマークが付されていない状態にする。すると、そのチェックマークを外した２つのフレーム画像ＦＬの容量に応じて、「メモリ使用量」の表示が更新される（９６％）。つまり、その選択内容で不揮発性メモリ１０５の内容を更新しても不揮発性メモリ１０５の全容量に対する使用領域の割合が１００％を超えない状態となる（図１６）。そして、「メモリ使用量」の表示が１００％を超えていない状態において、不揮発性メモリ１０５の「更新開始」機能が割り当てられているファンクションキー１８を押下すると、更新中画面が表示され（図１８）、不揮発性メモリ１０５の保存内容を更新することができる。
【００５７】
このように、内部の不揮発性メモリ１０５に予め保存されているフレーム画像ＦＬを利用したデジタル写真プリントを実行可能なインクジェットプリンタ５０において、不揮発性メモリ１０５に対して、不揮発性メモリ１０５内の不要なフレーム画像ＦＬを削除することとメモリカードスロット９等を介して外部から新しいフレーム画像ＦＬを追加することをフレームデータ更新画面（図１２）で同時に選択して同時に実行することができる。したがって、不揮発性メモリ１０５に保存されているフレーム画像ＦＬのバリエーションをユーザのニーズに応じて簡単な操作で更新することができる。
【００５８】
また、フレームデータ更新画面（図１２）には、その時点における選択内容で不揮発性メモリ１０５の内容を更新した場合の不揮発性メモリ１０５の全容量に対する使用領域の割合が推測して表示されるとともに、その選択内容が変更される度にその変更に応じて表示が更新される（メモリ使用量）。したがって、ユーザは、その表示を観て不揮発性メモリ１０５の容量を超えてしまうか否かを随時確認しながら、不揮発性メモリ１０５から削除するフレーム画像ＦＬ及び不揮発性メモリ１０５に追加するフレーム画像ＦＬを同時に取捨選択することができる。それによって、不揮発性メモリ１０５の内容を更新したときに容量不足で更新が完了できず、不揮発性メモリ１０５から削除するフレーム画像ＦＬ及び不揮発性メモリ１０５に追加するフレーム画像ＦＬを選択画面において再度選択し直さなければならない、といった二度手間を未然に防止できるので、利便性をより向上させることができる。
【００５９】
さらに、フレームデータ更新画面（図１２）においては、その時点の選択内容が不揮発性メモリ１０５の容量を超えてしまうものであっても、とりあえずユーザは、フレーム画像ＦＬの取捨選択操作を行うことができるので、まずは、ユーザが不揮発性メモリ１０５に保存することを望むフレーム画像ＦＬを全てピックアップすることができる。そして、ユーザは、不揮発性メモリ１０５に保存することを望むフレーム画像ＦＬを全てピックアップした時点で、その選択内容では不揮発性メモリ１０５の容量を超えてしまうときには、そのピックアップした範囲内でさらに取捨選択を検討することができる。したがって、ユーザは、詳細かつ柔軟な取捨選択操作で不揮発性メモリ１０５に保存するフレーム画像ＦＬを不揮発性メモリ１０５の容量の範囲内に絞り込んで不揮発性メモリ１０５の更新内容を最終的に決定することができるので、より利便性を向上させることができる。
【００６０】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００６１】
【図１】本発明に係るインクジェットプリンタ５０の外観を示す斜視図である。
【図２】メインメニュー画面が表示されている状態の操作パネルの正面図である
【図３】フレームメニュー画面が表示された状態を図示したものである。
【図４】フレーム選択画面が表示された状態を図示したものである。
【図５】フレーム画像を合成したデジタル写真画像のプレビュー画像である。
【図６】フレーム画像を合成したデジタル写真画像のプレビュー画像である。
【図７】写真選択画面が表示された状態を図示したものである。
【図８】印刷枚数設定画面が表示された状態を図示したものである。
【図９】印刷確認画面が表示された状態を図示したものである。
【図１０】フレームメニュー画面が表示された状態を図示したものである。
【図１１】フレーム保存場所選択画面が表示された状態を図示したものである
【図１２】フレームデータ更新画面が表示された状態を図示したものである。
【図１３】フレームデータ更新画面の要部を図示したものである。
【図１４】フレームデータ更新画面の要部を図示したものである。
【図１５】フレームデータ更新画面の要部を図示したものである。
【図１６】フレームデータ更新画面の要部を図示したものである。
【図１７】メッセージ表示画面が表示された状態を図示したものである。
【図１８】更新中画面が表示された状態を図示したものである。
【符号の説明】
【００６２】
９  メモリカードスロット、１０  操作パネル、１１  電源スイッチ、１２  表示切替ボタン、１３  メニューボタン、１４  キャンセルボタン、１５  プリント（記録実行）ボタン、１６  保存ボタン、１７、１８  ファンクションキー、１９  ＯＫボタン、２１  液晶ディスプレイ、５０  インクジェットプリンタ、１００  記録制御部、１０１  ＲＯＭ、１０２  ＲＡＭ、１０３  ＩＦ、１０４  ＣＰＵ、１０５  不揮発性メモリ、ＦＬ  フレーム画像、Ｐ  記録紙
【図１】
2008001025.tif 000003
【図２】
2008001025.tif 000004
【図３】
2008001025.tif 000005
【図４】
2008001025.tif 000006
【図５】
2008001025.tif 000007
【図６】
2008001025.tif 000008
【図７】
2008001025.tif 000009
【図８】
2008001025.tif 000010
【図９】
2008001025.tif 000011
【図１０】
2008001025.tif 000012
【図１１】
2008001025.tif 000013
【図１２】
2008001025.tif 000014
【図１３】
2008001025.tif 000015
【図１４】
2008001025.tif 000016
【図１５】
2008001025.tif 000017
【図１６】
2008001025.tif 000018
【図１７】
2008001025.tif 000019
【図１８】
2008001025.tif 000020